(57)【要約】      （修正有）【課題】チモトのうち、最もハリスを破損させる危険性のある上縁部の両コーナー部分が、針先方向と逆方向へ折曲されているので、ハリスのずれ幅が極端に大きくなく、チモトが後方へ回り込むことがなくなるので、ハリスが破損する状況に陥るのを低減することができる釣り針を提供する。【解決手段】胴部２、この胴部２から胴部を湾曲して針状とした針先部４、チモト６を有する釣り針で、チモト６の上縁部１１の両コーナー部分が正面から見て直角に形成され、上縁部を含むチモトの上端部を、その上縁の方向と平行な方向を折曲線１４で、針先方向と逆方向へ折曲し、チモト６と胴部２との境目付近で針先方向の逆方向に折曲する第二折曲部１５を有する。【選択図】図２
0003159607.tif 000002
【実用新案登録請求の範囲】
【請求項１】
線状部材からなる胴部と、
前記胴部から湾曲して一方の端部を針状とした針先部と、
前記胴部のもう一方の端部に形成されるチモトと、からなる釣り針であって、
上縁部を含むチモトの上端部を、一定高さにわたって針先方向と逆方向へ折曲したことを特徴とする釣り針。
【請求項２】
チモトは、胴部との境目付近で、針先方向と逆方向に折曲する第二折曲部を有することを特徴とする請求項１に記載の釣り針。
【請求項３】
チモトは、その上縁の方向と平行な折曲線で、折曲することを特徴とする請求項１又は２のいずれかに記載の釣り針。
【考案の詳細な説明】
【技術分野】
【０００１】
本考案は、釣り用の釣り針において、ハリスがチモトに接触して破損するのを低減するための、チモトの構造に関する。
【背景技術】
【０００２】
釣り針の胴部上端付近にハリスを巻き付けるのが一般的である。ハリスを巻き付けた釣り針を使用すると、釣り針がハリスの下方にぶら下がるようになるため、通常、ハリスは扁平化した直方体形状のチモトの表面中央付近に沿うように位置する。
また、本考案の背景技術として、特許文献１に記載の釣り針構造がある。
かかる技術はハリス抜止め用耳部の縁を前後両面に掛けて丸く縁取りし、ハリス抜止め用耳部の縁でハリスが切れないようにするものである。
【先行技術文献】
【特許文献】
【０００３】
【特許文献１】登録実用新案公報第３０１８７０２号公報
【考案の概要】
【考案が解決しようとする課題】
【０００４】
胴部上端付近でハリスを巻き付けた場合、ハリスが擦れて切れ易いという問題があった。つまり、図６（ａ）に示すように、ハリスを巻き付けた釣り針を使用した場合、通常、ハリスはチモト５１の中央付近の通常位置５２に位置する。しかし、魚が針に食い付くと、通常魚は激しく暴れる。このとき、ハリスは、魚の暴れることで、通常位置５２からＺ方向である左右方向や前後方向（図示しない）にずれることが多い。しかも、図６（ｂ）に示すように、ハリス５４のずれ幅が大きいと、Ｙ方向に移動し、正面から見て直角の上縁部５５の両コーナー部分５６である破損位置５３に位置することになり、最終的にはハリスが切れる要因となることが多かった。
また、先行技術文献１に記載の発明によると、ハリス抜止め用耳部の縁を前後両面に掛けて丸くすれば、ハリスを破損させることが少なくなる。しかし、縁を丸くするのは生産コストもかかるので妥当ではない。
【課題を解決するための手段】
【０００５】
そこで、本考案の釣り針は、線状部材からなる胴部と、前記胴部から湾曲して一方の端部を針状とした針先部と、前記胴部のもう一方の端部に形成されるチモトと、からなる釣り針であって、上縁部を含むチモトの上端部を、一定高さにわたって針先方向と逆方向へ折曲したことを特徴とするものである。
【０００６】
また、チモトは、胴部との境目付近で、針先方向と逆方向に折曲する第二折曲部を有することが好ましい。
【０００７】
また、チモトは、その上縁の方向と平行な折曲線で、折曲することが好ましい。
【考案の効果】
【０００８】
請求項１にかかる考案によると、ハリスを取り付けた状態で釣り針を使用したとき、釣り針に食い付いた魚が暴れる等の要因により、ハリスが釣り針のチモト、特に上縁部両コーナー部分にあたり、擦れて、切れることが少なくなる。
つまり、チモトのうち、最もハリスを破損させる危険性のある上縁部の両コーナー部分が、針先と逆方向へ折曲されているので、ハリスのずれ幅が極端に大きくなければ、チモトが後方へ回り込むことがなくなるので、ハリスが破損する状況に陥るのを低減することができる。
また、通常のチモトだとハリスが針先と逆方向へ引っ張られると、チモトの上縁部にあたり、擦れて、切れることがあった。しかし、本考案の釣り針は折曲されており、上縁部に擦れたとしても接触角度が低く、ハリスが切れるのを低減することができる。
このように、チモトの上縁部を折曲するのみでハリスの破損を低減できる釣り針を提供できるので、生産コストを抑えた釣り針を低く提供することができる。
【０００９】
請求項２にかかる考案によると、チモトが針先方向と逆方向へ折曲している第二折曲部があることで、ハリスが切れる要因となるコーナー部分が、ハリスが通常位置するところよりも、より遠くに位置することになる。
このより遠くに位置することで、ハリスがコーナー部分に接触するのが低くなり、ハリスが切れる可能性を低減することができる。
また、上端部を含めてチモトが二段に折曲されていることになり、ハリスがチモトの上縁部に擦れたとしても、接触角度を低くすることができ、ハリスが切れるのを低減することができる。
【００１０】
請求項３にかかる考案によると、折曲線が上縁の方向と一致しているので、左右のコーナー部分が均等に折曲されて針先と逆方向に位置することになる。これにより、ハリスが左右のどちらかに移動しても、より遠くにコーナー部分が均等に位置することになり、ハリスが切れる可能性を低減することができる。
また、製品の外観もよいものとなる。
【図面の簡単な説明】
【００１１】
【図１】図１は、本考案の釣り針の一例を示す斜視図である。
【図２】図２（ａ）は図１に示す釣り針のチモトを拡大した斜視図でハリスを外した状態で示し、（ｂ）は図１に示す釣り針の右側側面図である。
【図３】図３（ａ）は従来の場合において、ハリスがチモトの上縁部のコーナー部分に接触した状態を示す拡大右側側面図であり、（ｂ）は本考案の場合において、ハリスがチモトの上縁部のコーナー部分に接触する状態を示す拡大右側側面図である。
【図４】図４（ａ）は、本考案の場合において、チモトの上縁部の両コーナー部分を面取りした状態を示す拡大正面図であり、（ｂ）は第一折曲線を曲線とした変形例を示す拡大正面図である。
【図５】図５（ａ）は従来のタタキ型のチモトを示す正面図であり、（ｂ）は（ａ）の右側側面図、（ｃ）はシュモク型のチモトを示す正面図である。
【図６】図６（ａ）は従来のタタキ型のチモトでハリスがずれる状態を示す正面図であり、（ｂ）はハリスがずれて破損位置に位置することを示す正面図である。
【考案を実施するための形態】
【００１２】
本考案の釣り針１の一例について、図面に沿って説明する。
図１は、本考案の一例である釣り針１の全体を示す。ここに例示する釣り針１は、線状部材である金属線による胴部２を有し、この胴部２の下方を湾曲した湾曲部３、この湾曲部３の端部を上方に向けて針状に形成する針先部４を有する。針先部４の下方に、針先部４の先端方向と逆方向に針状に突出するカエシ５が形成されている。
胴部２の上端には、扁平化されたチモト６が形成されている。ハリス７は樹脂等による糸状部材であって、胴部２の上端付近であって、チモト６のすぐ下付近のハリス巻付け位置８において、釣り針１に結び付けられる。
【００１３】
いわゆるタタキと呼ばれる従来のチモトの一般的な形態を、図５（ａ）に示す。この図に示すチモト３１は、図５（ｂ）に示すように、断面円形の金属線からなる胴部３２を扁平化して厚みを減らした略直方体の板状に形成されている。この扁平化は通常プレス機によりなされるが、その他の方法によるものであってもよい。
図５（ａ）に示すように、タタキ型のチモト３１は、胴部３２の横幅（直径）よりも広く、上縁部３３は胴部３２の長手方向と直行する方向となる。この上縁部３３の方向は、厳密なものである必要はなく、誤差を含んでいてもよく、少なくとも、胴部３２の長手方向に対してほぼ直行しておればよい。
そして、上縁部３２の両コーナー部分３４から、ほぼ垂直下方向にチモト３１の両側方縁３５が形成されている。当該両コーナー部分３５は、下方に行くに従い、緩やかなアールを形成して、胴部３２に連続する。
また、図５（ｃ）のように、いわゆるシュモク型と呼ばれるチモト３１もある。このチモト３１はタタキ型と異なり、側縁３５と下縁３６が交わる部分も角張った形状である。
【００１４】
図２（ａ）に示すように、本考案の一例としてのチモト６は、いわゆるタタキ型である。しかし、本考案の釣り針のチモト６は、図５（ａ）に示す従来のタタキ型のものだけに限定されるものではなく、図５（ｃ）に示すシュモク型等、その上縁部に角張った形状を有するものを含む。
また、ここに示す釣り針のチモト６の表面１７は、図２（ｂ）に示すように、針先部４の方向であるＡ方向に向いている。
【００１５】
一方、ここに示す釣り針は、図２（ａ）、（ｂ）に示すように、チモト６のうちの上縁部１１を含んだ一部を、破線で示す第一折曲線１２を境目にして、湾曲した針先部４のＡ方向と逆のＢ方向へ折曲させ、上端部１３が形成されている。
このＡ方向、Ｂ方向は、厳密に針先４の方向と正、逆となることを要するものではなく、上下方向とも一定の誤差を含み、本考案の効果であるハリスの破損位置を遠くする効果を有するものであればよい。
また、チモト６と胴部２との接合部であって、破線で示す第二折曲線１４で、湾曲した針先部４の方向と逆方向（Ｂ方向）へ折曲させ、第二折曲部１５が形成されている。
【００１６】
第一折曲線１２で折曲されているチモト６の上端部１３は、少なくともチモト６の上縁部１１の全てを含んでいればよい。しかし、チモト６はその表面１７でハリス７を受ける作用をするから、チモト６の第二折曲部１５の表面をより広く確保するために、チモト表面の中央から上方の位置に第一折曲線１２が来るようにすることが好ましい。
【００１７】
ここに例示されている第一折曲線１２は、チモト６の上縁部１１と平行になるように形成されている。これは、厳密に平行であることを意味するものではなく、誤差を許容するものである。
また、第一折曲線１２は、必ずしも直線である必要はなく、図４（ｂ）の変形例に示すように、下突弧状となる曲線であってもよい。
また、第一折曲線１２による折曲は、上縁部１３の表面と第二折曲部１５の表面とが、側方から見て鈍角に折曲していることが好ましい。鋭角に折曲すると、折曲線にハリスが擦れて切れることが多くなってしまうためである。
【００１８】
図２（ａ）に示すように、ここに例示するチモト６の上縁部１１の両コーナー部分１６は、正面から見て直角の形状である。
厳密には正面から見て直角に尖ったものだけではなく、図４（ａ）に示すように、コーナー部分１６を面取りして面取り部分２３を有するものとしてもよい。かかる面取り部分２３であっても、ハリス７がずれて接触した場合に、破損の可能性は高く、切断の可能性があるためである。
【００１９】
ここに例示するチモト６によれば、チモトの上縁部１１が一定高さに渡って針先方向と逆方向に折曲されているから、正面から見て直角の両コーナー１６にハリス７がたとえ接触しても、破損することが少なくなる。
なぜならば、図３（ａ）に示すように、従来のチモトのように、折曲されていないと、正面から見て直角に尖ったコーナー部分３４がハリス４１に近く、通常、ハリスはチモト表面の中央付近である通常位置４１に位置するが、チモトの上縁部のコーナー部分３４に引っ掛かる破損位置４２が近いため、ハリスが少しずれても、当該破損位置４２のＹ方向にハリスが移動し、コーナー部分３４にハリスが接触して、破損し、切断の危険がある。
【００２０】
これに対して、ここに例示するチモト６のように、チモトの上縁部１１が一定高さにわたって針先方向と逆方向に折曲されていると、図３（ｂ）に示すように、通常ハリス７が位置する通常位置２１から、同じくチモト６の上縁部１１のコーナー部分１６に接触する破損位置２２が、従来のチモトの場合よりも遠くなる。
これにより、極端にハリス７が通常位置２１からＺ方向にずれない限り、ハリス７が破損位置４２に移動することがなくなるので、コーナー部分１６にハリス７が接触して、破損し、切断する危険性を低減することができる。
【００２１】
また、図４（ｂ）に示す変形例によれば、第一折曲線２４が下突弧状となる曲線であるため、当該第一折曲線２４で折曲することにより、図面符号Ｗで示すように、上縁部１１のコーナー部分１６がチモト裏面のより中央付近に位置するようになり、破損の要因となる上縁部１１のコーナー部分がより遠い位置に来るので、ハリス７の破損するのを低減することができる。
【産業上の利用可能性】
【００２２】
本考案の釣り針は、竿、ハリスに取り付けられ、釣りに使用されるものである。
【符号の説明】
【００２３】
１…釣り針、２…胴部、４…針先、６…チモト、７…ハリス、１１…上縁部、１２…第一折曲線、１３…上端部、１４…第二折曲線、１６…コーナー部分、１７…表面、２１…ハリス通常位置、２２…ハリス破損位置
【図１】
0003159607.tif 000003
【図２】
0003159607.tif 000004
【図３】
0003159607.tif 000005
【図４】
0003159607.tif 000006
【図５】
0003159607.tif 000007
【図６】
0003159607.tif 000008